(57)【要約】【課題】  客と店員の判別が可能で、かつ複数の省電力化対象装置の電源制御が可能な省電力化装置の提供。【解決手段】  省電力化装置１は、カメラ１０および画像認識部１１を用いて認識される人物の服装画像と、メモリ１２に記憶される人物の服装画像とを比較して、省電力化対象装置の電源制御を必要とする人物と必要としない人物とを判別し、その判別結果に基づいて電源制御コマンドを送信する制御部１３と、制御部１３からの電源制御コマンドを受信し、その電源制御コマンドに基づき省電力化対象装置の電源制御を行う操作部５２とを含む。【選択図】      図１
2011030116.tif 000002
【特許請求の範囲】
【請求項１】
カメラおよび画像認識部を用いて認識される人物の服装画像と、メモリに記憶される人物の服装画像とを比較して、省電力化対象装置の電源制御を必要とする人物と必要としない人物とを判別し、その判別結果に基づいて電源制御コマンドを送信する制御部と、
前記制御部からの電源制御コマンドを受信し、その電源制御コマンドに基づき前記省電力化対象装置の電源制御を行う操作部とを含むことを特徴とする省電力化装置。
【請求項２】
前記操作部は前記省電力化対象装置を遠隔操作するリモコン装置であることを特徴とする請求項１記載の省電力化装置。
【請求項３】
前記操作部は前記省電力化対象装置を直接操作する直接操作装置であることを特徴とする請求項１記載の省電力化装置。
【請求項４】
前記電源制御は前記省電力化対象装置の電源をオンまたはオフすることであり、前記制御部は前記カメラおよび画像認識部を用いて認識される人物の服装画像と、前記メモリに記憶される人物の服装画像の特徴が一致する場合、前記操作部に対し前記省電力化対象装置の電源オフを指示することを特徴とする請求項１から３のいずれかに記載の省電力化装置。
【請求項５】
前記メモリには前記人物の服装画像の比較結果を示す情報が格納され、前記情報に対応する電源制御コマンドが前記制御部から前記操作部に対し送信されることを特徴とする請求項１から４のいずれかに記載の省電力化装置。
【請求項６】
前記制御部は複数の前記省電力化対象装置に対し前記電源制御を実行することを特徴とする請求項１から５のいずれかに記載の省電力化装置。
【請求項７】
カメラおよび画像認識部を用いて認識される人物の服装画像と、メモリに記憶される人物の服装画像とを比較して、省電力化対象装置の電源制御を必要とする人物と必要としない人物とを判別し、その判別結果に基づいて電源制御コマンドを送信する制御ステップと、
前記制御ステップからの電源制御コマンドを受信し、その電源制御コマンドに基づき前記省電力化対象装置の電源制御を行う操作ステップとを含むことを特徴とする省電力化方法。
【請求項８】
前記操作ステップは前記省電力化対象装置を遠隔操作するリモコン装置によって行われることを特徴とする請求項７記載の省電力化方法。
【請求項９】
前記操作ステップは前記省電力化対象装置を直接操作する直接操作装置によって行われることを特徴とする請求項７記載の省電力化方法。
【請求項１０】
前記電源制御は前記省電力化対象装置の電源をオンまたはオフすることであり、前記制御ステップは前記カメラおよび画像認識部を用いて認識される人物の服装画像と、前記メモリに記憶される人物の服装画像の特徴が一致する場合、前記操作ステップに対し前記省電力化対象装置の電源オフを指示することを特徴とする請求項７から９のいずれかに記載の省電力化方法。
【請求項１１】
前記メモリには前記人物の服装画像の比較結果を示す情報が格納され、前記情報に対応する電源制御コマンドが前記制御ステップにおいて前記操作ステップに対し送信されることを特徴とする請求項７から１０のいずれかに記載の省電力化方法。
【請求項１２】
前記制御ステップは複数の前記省電力化対象装置に対し前記電源制御を実行することを特徴とする請求項７から１１のいずれかに記載の省電力化方法。
【請求項１３】
カメラおよび画像認識部を用いて認識される人物の服装画像と、メモリに記憶される人物の服装画像とを比較して、省電力化対象装置の電源制御を必要とする人物と必要としない人物とを判別し、その判別結果に基づいて前記省電力化対象装置の電源制御を行う制御部を含むことを特徴とする制御装置。
【請求項１４】
前記電源制御は前記省電力化対象装置の電源をオンまたはオフすることであり、前記制御部は前記カメラおよび画像認識部を用いて認識される人物の服装画像と、前記メモリに記憶される人物の服装画像の特徴が一致する場合、前記省電力化対象装置の電源をオフすることを特徴とする請求項１３記載の制御装置。
【請求項１５】
前記メモリには前記人物の服装画像の比較結果を示す情報が格納され、前記情報に基づき前記制御部が前記省電力化対象装置の電源制御を行うことを特徴とする請求項１３または１４に記載の制御装置。
【請求項１６】
前記制御部は複数の前記省電力化対象装置に対し前記電源制御を実行することを特徴とする請求項１３から１５のいずれかに記載の制御装置。
【請求項１７】
コンピュータに、カメラおよび画像認識部を用いて認識される人物の服装画像と、メモリに記憶される人物の服装画像とを比較して、省電力化対象装置の電源制御を必要とする人物と必要としない人物とを判別し、その判別結果に基づいて電源制御コマンドを送信する制御ステップと、
前記制御ステップからの電源制御コマンドを受信し、その電源制御コマンドに基づき前記省電力化対象装置の電源制御を行う操作ステップとを実行させるためのプログラム。
【請求項１８】
前記操作ステップは前記省電力化対象装置を遠隔操作するリモコン装置によって行われることを特徴とする請求項１７記載のプログラム。
【請求項１９】
前記操作ステップは前記省電力化対象装置を直接操作する直接操作装置によって行われることを特徴とする請求項１７記載のプログラム。
【請求項２０】
前記電源制御は前記省電力化対象装置の電源をオンまたはオフすることであり、前記制御ステップは前記カメラおよび画像認識部を用いて認識される人物の服装画像と、前記メモリに記憶される人物の服装画像の特徴が一致する場合、前記操作ステップに対し前記省電力化対象装置の電源オフを指示することを特徴とする請求項１７から１９のいずれかに記載のプログラム。
【請求項２１】
前記メモリには前記人物の服装画像の比較結果を示す情報が格納され、前記情報に対応する電源制御コマンドが前記制御ステップにおいて前記操作ステップに対し送信されることを特徴とする請求項１７から２０のいずれかに記載のプログラム。
【請求項２２】
前記制御ステップは複数の前記省電力化対象装置に対し前記電源制御を実行することを特徴とする請求項１７から２１のいずれかに記載のプログラム。
【請求項２３】
カメラおよび画像認識部を用いて認識される人物の服装画像と、メモリに記憶される人物の服装画像とを比較し、比較結果に基づき警報を出力する制御部を含むことを特徴とする防犯装置。
【請求項２４】
前記制御部は前記カメラおよび画像認識部を用いて認識される人物の服装画像と、前記メモリに記憶される人物の服装画像の特徴が一致しない場合、前記警報を出力することを特徴とする請求項２３記載の防犯装置。
【発明の詳細な説明】
【技術分野】
【０００１】
本発明は、省電力化装置および省電力化方法ならびに制御装置および防犯装置に関し、特にカメラおよび画像認識部を用いて人物を識別する機能を備えた省電力化装置および省電力化方法ならびに制御装置および防犯装置に関する。
【背景技術】
【０００２】
家電量販店等、販売の現場では製品の特徴を示すために、製品の電源を投入した状態で展示を行い、また客のニーズに応えるために多くの異なる機種を並べて展示していることが多い。家電量販店に限らず、食料品店等でも、商品の宣伝のためにテレビジョンやオーディオ機器を用いて映像や音楽を流すことが多くなっている。
【０００３】
しかし、これらの製品はその製品が展示あるいは設置されている場所に客が居るか否かに関わらず常時電源が投入されており、そのために余計な電力を消費するという課題があった。そこで、この節電対策として、赤外線による人感センサをテレビジョン等のＡＶ（ａｕｄｉｏ  ｖｉｓｕａｌ）機器に取り付け、人感センサで人の存在を検出できない場合にそのＡＶ機器の電源をオフする人感センサ機能付きＡＶ機器が知られている（たとえば、特許文献１参照）。
【０００４】
また、コンピュータ用ディスプレイ装置にカメラおよび顔画像検出部を設け、所定範囲内に顔画像があるか否かを検出し、所定時間以上顔画像が検出できなければ表示部の電源を切る省電力制御装置が知られている（たとえば、特許文献２参照）。
【先行技術文献】
【特許文献】
【０００５】
【特許文献１】特開２００７−０９６４６２号公報
【特許文献２】特開平１１−２４２７３３号公報
【発明の概要】
【発明が解決しようとする課題】
【０００６】
しかし、特許文献１に記載の発明は、特定の機種に備える機能であるため、その機能が付いていない機種では自動で表示部の電源を切ることはできないという課題がある。また、赤外線によって人を感知しているため、客と店員を判別できないという課題もある。さらに、複数の装置の電源を同時に切ることができないという課題もある。
【０００７】
また、特許文献２に記載の発明は、顔画像を検出しており、顔の判別は可能であるが、客と店員の判別まではできないという課題がある。また、特許文献２に記載の発明も上記特許文献１と同様に、特定の機種にしか対応できず、また複数の装置の電源を同時に切ることができないという課題がある。
【０００８】
そこで、本発明の目的は、客と店員の判別が可能で、かつ複数の省電力化対象装置の電源制御が可能な省電力化装置および省電力化方法ならびに制御装置および防犯装置を提供することにある。
【課題を解決するための手段】
【０００９】
前記課題を解決するために、本発明による省電力化装置は、カメラおよび画像認識部を用いて認識される人物の服装画像と、メモリに記憶される人物の服装画像とを比較して、省電力化対象装置の電源制御を必要とする人物と必要としない人物とを判別し、その判別結果に基づいて電源制御コマンドを送信する制御部と、前記制御部からの電源制御コマンドを受信し、その電源制御コマンドに基づき前記省電力化対象装置の電源制御を行う操作部とを含むことを特徴とする。
【００１０】
また、本発明による省電力化方法は、カメラおよび画像認識部を用いて認識される人物の服装画像と、メモリに記憶される人物の服装画像とを比較して、省電力化対象装置の電源制御を必要とする人物と必要としない人物とを判別し、その判別結果に基づいて電源制御コマンドを送信する制御ステップと、前記制御ステップからの電源制御コマンドを受信し、その電源制御コマンドに基づき前記省電力化対象装置の電源制御を行う操作ステップとを含むことを特徴とする。
【００１１】
また、本発明による制御装置は、カメラおよび画像認識部を用いて認識される人物の服装画像と、メモリに記憶される人物の服装画像とを比較して、省電力化対象装置の電源制御を必要とする人物と必要としない人物とを判別し、その判別結果に基づいて前記省電力化対象装置の電源制御を行う制御部を含むことを特徴とする。
【００１２】
また、本発明によるプログラムは、コンピュータに、カメラおよび画像認識部を用いて認識される人物の服装画像と、メモリに記憶される人物の服装画像とを比較して、省電力化対象装置の電源制御を必要とする人物と必要としない人物とを判別し、その判別結果に基づいて電源制御コマンドを送信する制御ステップと、前記制御ステップからの電源制御コマンドを受信し、その電源制御コマンドに基づき前記省電力化対象装置の電源制御を行う操作ステップとを実行させるためのものであることを特徴とする。
【００１３】
また、本発明による防犯装置は、カメラおよび画像認識部を用いて認識される人物の服装画像と、メモリに記憶される人物の服装画像とを比較し、比較結果に基づき警報を出力する制御部を含むことを特徴とする。
【発明の効果】
【００１４】
本発明によれば、客と店員の判別が可能で、かつ複数の省電力化対象装置の電源制御が可能な省電力化装置および省電力化方法ならびに制御装置および防犯装置が得られる。
【図面の簡単な説明】
【００１５】
【図１】本発明に係る省電力化装置の動作原理を説明するための構成図である。
【図２】本発明に係る省電力化方法の動作原理を説明するためのフローチャートである。
【図３】本発明に係る制御装置の動作原理を説明するための構成図である。
【図４】本発明に係る防犯装置の動作原理を説明するための構成図である。
【図５】本発明に係る省電力化装置の第１実施形態の構成図である。
【図６】本発明に係る省電力化対象装置が設置される環境の一例を示す図である。
【図７】店員の特徴の一例を示す模式図である。
【図８】本発明の第１実施形態の動作を示すフローチャートである。
【図９】本発明に係る省電力化装置の第２実施形態の構成図である。
【図１０】本発明の第４実施形態の構成図である。
【発明を実施するための形態】
【００１６】
まず、実施形態の説明に入る前に、本発明の動作原理について説明する。図１は本発明に係る省電力化装置の動作原理を説明するための構成図である。同図を参照すると、本発明に係る省電力化装置１は、カメラ１０および画像認識部１１を用いて認識される人物の服装画像と、メモリ１２に記憶される人物の服装画像とを比較して、省電力化対象装置の電源制御を必要とする人物と必要としない人物とを判別し、その判別結果に基づいて電源制御コマンドを送信する制御部１３と、制御部１３からの電源制御コマンドを受信し、その電源制御コマンドに基づき省電力化対象装置の電源制御を行う操作部５２とを含んで構成される。
【００１７】
カメラ１０は人物を撮像する。画像認識部１１はカメラ１０で撮像された人物の服装画像を認識する。メモリ１２には所定人物（一例として、店員）の服装画像が記憶されている。制御部１３は画像認識部１１で認識された服装画像と、メモリ１２に記憶された服装画像とを比較し、省電力化対象装置の電源制御を必要とする人物と必要としない人物とを判別する。
【００１８】
すなわち、服装画像の特徴が一致すればカメラ１０に撮像された人物は店員と判別され、不一致であれば客と判別される。そして、店員と判別された場合、省電力化対象装置の電源制御が必要と判別される。
【００１９】
制御部１３は判別結果に基づき電源制御コマンドを操作部５２へ送信する。すなわち、制御部１３は客の場合は電源オンの制御コマンドを操作部５２へ送信し、店員の場合は電源オフの制御コマンドを操作部５２へ送信する。
【００２０】
次に、制御部１３から電源制御コマンドを受信した操作部５２は、その電源制御コマンドに従って省電力化対象装置の電源を制御する。その制御対象の省電力化対象装置の数は１個でもよいし数個でもよい。
【００２１】
以上説明したように、本発明に係る省電力化装置１によれば、上記構成を有することにより、客と店員の判別が可能で、かつ複数の省電力化対象装置の電源制御が可能となる。
【００２２】
図２は本発明に係る省電力化方法の動作原理を説明するためのフローチャートである。同図を参照すると、本発明に係る省電力化方法は、カメラおよび画像認識部を用いて認識される人物の服装画像と、メモリに記憶される人物の服装画像とを比較して、省電力化対象装置の電源制御を必要とする人物と必要としない人物とを判別し、その判別結果に基づいて電源制御コマンドを送信する制御ステップＳ１と、制御ステップＳ１からの電源制御コマンドを受信し、その電源制御コマンドに基づき省電力化対象装置の電源制御を行う操作ステップＳ２とを含んでいる。
【００２３】
以上説明したように、本発明に係る省電力化方法によれば、上記構成を有することにより、客と店員の判別が可能で、かつ複数の省電力化対象装置の電源制御が可能となる。
【００２４】
次に、本発明に係る制御装置の動作原理について説明する。図３は本発明に係る制御装置の動作原理を説明するための構成図である。本発明に係る制御装置の構成は図１の省電力化装置１の構成から操作部５２を削除したものである。図３を参照すると、本発明に係る制御装置５１は、カメラ１０および画像認識部１１を用いて認識される人物の服装画像と、メモリ１２に記憶される人物の服装画像とを比較して、省電力化対象装置の電源制御を必要とする人物と必要としない人物とを判別し、その判別結果に基づいて省電力化対象装置の電源制御を行う制御部１２を含んでいる。
【００２５】
以上説明したように、本発明に係る制御装置によれば、上記構成を有することにより、客と店員の判別が可能で、かつ複数の省電力化対象装置の電源制御が可能となる。
【００２６】
次に、本発明に係るプログラムの動作原理について説明する。本発明に係るプログラムは図２にフローチャートで示される省電力化方法のプログラムである。このプログラムは、コンピュータ（制御部１３）に、カメラ１０および画像認識部１１を用いて認識される人物の服装画像と、メモリ１２に記憶される人物の服装画像とを比較して、省電力化対象装置の電源制御を必要とする人物と必要としない人物とを判別し、その判別結果に基づいて電源制御コマンドを送信する制御ステップＳ１と、制御ステップＳ１からの電源制御コマンドを受信し、その電源制御コマンドに基づき省電力化対象装置の電源制御を行う操作ステップＳ２とを実行させるためのものである。
【００２７】
以上説明したように、本発明に係る省電力化方法のプログラムによれば、上記構成を有することにより、客と店員の判別が可能で、かつ複数の省電力化対象装置の電源制御が可能なプログラムが得られる。
【００２８】
次に、本発明に係る防犯装置の動作原理について説明する。図４は本発明に係る防犯装置の動作原理を説明するための構成図である。なお、図３と同様の構成部分については同一番号を付し、その説明を省略する。本発明に係る防犯装置３は図３の制御装置５１に警報８１を追加したものである。
【００２９】
図４を参照すると、本発明に係る防犯装置３は、カメラ１０および画像認識部１１を用いて認識される人物の服装画像と、メモリ１２に記憶される人物（一例として、警備員）の服装画像とを比較し、比較結果に基づき警報８１を出力する制御部１３を含んでいる。
【００３０】
本発明によれば、カメラ１０および画像認識部１１を用いて認識される人物の服装画像と、メモリ１２に記憶される人物（警備員）の服装画像とが不一致の場合、制御部１３により警報８１が出力される。
【００３１】
以上説明したように、本発明に係る防犯装置によれば、上記構成を有することにより、警備員と警備員以外の人物との判別が可能となり、認識結果が警備員以外の人物である場合に警報８１を出力することが可能となる。
【００３２】
以下、本発明の実施形態について添付図面を参照しながら説明する。図５は本発明に係る省電力化装置の第１実施形態の構成図である。同図を参照すると、本発明に係る省電力化装置１の第１実施形態は、制御装置５１と、操作部５２とを含んで構成される。
【００３３】
また、制御装置５１はカメラ１０と、画像認識部１１と、メモリ１２と、制御部１３と、プログラム格納部１６とを含んで構成される。カメラ１０は被写体の画像を取得する。画像認識部１はカメラ１０が取得した被写体の画像を認識する。メモリ１２には人物の服装画像が記憶される。制御部１３は画像認識部１で認識される画像とメモリ１２に記憶される画像とを比較する。プログラム格納部１６には後述するプログラムが格納される。
【００３４】
また、操作部５２は、一例として図示しない省電力化対象装置を遠隔操作するリモコン装置である（以下、「リモコン装置５２」と表示する）。リモコン装置５２は送信部１４と、受信部１５とを含んで構成される。
【００３５】
図６は本発明に係る省電力化対象装置が設置される環境の一例を示す図である。同図に示す環境は、一例として販売現場あるいは展示現場であり、一例として２個の省電力化対象機器（一例として、テレビジョン）１０１，１０２が展示されている。
【００３６】
また、２個の省電力化対象機器１０１，１０２の前方かつ上部付近にカメラ１０が設置されており、カメラ１０により省電力化対象機器１０１，１０２周辺の画像が定期的周期により取得される。また、省電力化対象機器１０１，１０２の後方にリモコン装置５２が設置されている。
【００３７】
カメラ１０により取得される画像は画像認識部１へ送信され、公知の顔画像認識技術を用いて画像範囲内に人物が存在するか否かを判別する。一方、メモリ１２には、一例として店員の服装画像が記憶されている。
【００３８】
制御部１３はまず、画像認識部１からの顔画像認識結果から、省電力化対象機器１０１，１０２周辺に人物が存在するか否かを判別する。そして、人物が存在する場合、制御部１３は画像認識部１で認識される人物の服装画像とメモリ１２に記憶される店員の服装画像とを比較する。そして比較の結果、服装画像の特徴が不一致の場合、制御部１３はカメラ１０により取得された人物は店員ではなく客であると判断する。
【００３９】
制御部１３は、カメラ１０で取得された人物が客であると判断すると、客が省電力化対象機器１０１，１０２周辺に存在する場合の電源制御を実行する。制御部１３は、この場合電力化対象機器１０１，１０２の電源をオンにするため、リモコン装置５２の送信部１４に対し、電源オンの制御コマンドを送信する。この電源オンの制御コマンドを受信したリモコン装置５２は、電力化対象機器１０１，１０２に対し電源オン信号を送信する。この電源オン信号を受信した電力化対象機器１０１，１０２は電源をオンにする。
【００４０】
一方、制御部１３は、カメラ１０で取得された人物が店員であると判断すると、店員が省電力化対象機器１０１，１０２周辺に存在する場合の電源制御を実行する。制御部１３は、この場合省電力化対象機器１０１，１０２の電源をオフにするため、リモコン装置５２の送信部１４に対し、電源オフの制御コマンドを送信する。この電源オフの制御コマンドを受信したリモコン装置５２は、省電力化対象機器１０１，１０２に対し電源オフ信号を送信する。この電源オフ信号を受信した省電力化対象機器１０１，１０２は電源をオフにする。
【００４１】
図７は店員の特徴の一例を示す模式図である。同図を参照すると、店員の顔２１、その店の制服等の服装２２およびワッペン２６等の店員固有の画像情報がメモリ１２に記憶されている。画像認識部１１はこれら顔２１、服装２２およびワッペン２６等の画像を認識する。また、メモリ１２には人物の服装画像の比較結果を示す情報が格納されている。
【００４２】
次に、第１実施形態の動作について図５〜図８を参照しながら説明する。図８は本発明の第１実施形態の動作を示すフローチャートである。なお、以下の動作は制御部５１内の制御部１３が画像認識部１１、メモリ１２、リモコン装置５２内の送信部１４および受信部１５を制御することにより実行される。
【００４３】
図６に示す現場は一例として家電販売店のテレビジョン売り場である。リモコン装置５２の送信部１４は省電力化対象機器１０１，１０２へ電源オン信号または電源オフ信号を赤外線にて送信する。また、リモコン装置５２の受信部１５は省電力化対象機器１０１，１０２から赤外線にて送信される省電力化対象機器１０１，１０２固有の制御コマンドを受信しかつ記憶する。
【００４４】
まず、制御装置５１に電源が供給されると、タイマ−が初期化され（図８のステップＳ１０）、次に、カメラ１０が作動し周囲の画像の取り込みが周期的に開始される（ステップＳ１１）。
【００４５】
カメラ１０に取り込まれた画像は画像認識部１にて顔認識が開始される。制御部１３は画像認識部１による認識結果に基づき、得られた画像内に人物が存在するか否かを判別する（ステップＳ１２）。
【００４６】
そして、得られた画像内に人物が存在すると判別されると（ステップＳ１２にて“Ｙｅｓ”の場合）、制御部１３は得られた画像をメモリ１２内の店員の服装の画像と比較する（ステップＳ１３）。関連技術では、人間の顔や色を抽出する技術が確立している。本発明の制御部１３はその技術を用いて洋服部分を抽出し、メモリ１２内に登録してある店員の服装の色が一定量抽出されると、得られた画像内に人物は店員の制服を着ていると判断される。これにより、客と店員の区別がなされる。
【００４７】
制御部１３は上記比較結果が一致の場合（ステップＳ１３にて“Ｙｅｓ”の場合）、同じ画像内に存在する他の人物の判別に移行する（ステップＳ１５）。そして、同じ画像内に他の人物が存在する場合（ステップＳ１５にて“Ｙｅｓ”の場合）、判断対象をこの人物に変更し（ステップＳ１７）、ステップＳ１３に戻る。
【００４８】
一方、同じ画像内に他の人物が存在しない場合（ステップＳ１５にて“Ｎｏ”の場合）、制御部１３は入力信号を“０”と設定する（ステップＳ１６）。すなわち、入力信号“０”は現場に店員のみしか存在しないこと、あるいは誰も存在しないことを表す。
【００４９】
他方、ステップＳ１３にて、得られた画像とメモリ１２内の店員の服装の画像とが不一致の場合（ステップＳ１３にて“Ｎｏ”の場合）、制御部１３は入力信号を“１”と設定する（ステップＳ１４）。すなわち、入力信号“１”は現場に客が存在することを表す。
【００５０】
また、ステップＳ１２にて得られた画像内に人物が存在しないと判別されると（ステップＳ１２にて“Ｎｏ”の場合）、制御部１３は入力信号を“０”と設定する（ステップＳ１６）。
【００５１】
入力信号が決定すると、制御部１３において省電力化対象機器１０１，１０２の制御方法を決定するフローに入る。まず、現在の制御を変更する必要があるか否かの判断を行なうため、制御信号と入力信号の比較を行う（ステップＳ１８）。その比較結果が不一致の場合（ステップＳ１８にて“Ｎｏ”の場合）、制御内容を変更するため制御信号に入力信号を書き込む（ステップＳ１９）。
【００５２】
次に、書き込まれた制御信号を判断し（ステップＳ２０）、制御信号が“０”の場合（ステップＳ２０にて“Ｙｅｓ”の場合）、この場合は客がいなくなったことを表すが、客が不在となってから一定時間経過後に電源をオフにするため、図示しないタイマーをスタ−トするのみで（ステップＳ２１）、制御方法およびリモコン装置５２の送信部１４からの信号の送信は行わずに終了する。
【００５３】
一方、ステップＳ１８にて、制御信号と入力信号の比較結果が一致の場合（ステップＳ１８にて“Ｙｅｓ”の場合）、制御信号が“０”であるか否かを判断する（ステップＳ２２）。制御信号が“０”である場合（ステップＳ２２にて“Ｙｅｓ”の場合）、この場合は客がいない状態を表すので、客がいない状態が一定の時間経過するまで待ち（ステップＳ２３にて“Ｙｅｓ”）、一定の時間経過後に電源をオフするよう、リモコン装置５２の送信部１４から電源オフの制御コマンドを送信する（ステップＳ２４）。そして、ステップＳ１１に戻る。
【００５４】
また、ステップＳ２２において客がいる状態が継続している場合（ステップＳ２２にて“Ｎｏ”の場合）、あるいはステップＳ２３において客がいなくなってから一定の時間が経過していない場合は、制御を変える必要はないため、ステップＳ１１に戻る。
【００５５】
また、ステップＳ２０において、書き込まれた制御信号を判断し（ステップＳ２０）、制御信号が“０”ではない場合（ステップＳ２０にて“Ｎｏ”の場合）、この場合は、それまで客がいなかった場所に新たに客が出現したことを表すので、タイマーのリセットを行った後（ステップＳ２５）、電力化対象機器１０１，１０２の電源をオンにするように制御信号をリモコン装置５２の送信部１４より赤外線にて送信する（ステップＳ２６）。そして、ステップＳ１１へ戻る。
【００５６】
メモリ１２には、制御対象機ごとに固有の電源制御コマンドが登録されている。リモコン装置５２が送信する電源制御コマンドは製造会社によって異なるが、製造会社が同じであれば電力化対象機器の機種が異なっても同じコマンドを使用していることがある。そのため、一つのコマンドで複数の電力化対象機器を制御することが可能である。この場合、コマンドの登録時に制御可能台数によって重み付けし、コマンド送信の優先順位を決定する。リモコン装置５２の送信部１４は制御部１３から制御信号を受け取ると、メモリ１２内から電源制御コマンドを読み出し、優先度の高いコマンドから順次赤外線で電力化対象機器へ送信する。
【００５７】
なお、コマンドの登録には公知の関連技術である学習リモコンを利用することが可能であるため、その詳細な説明は省略する。また、上記記載の顔および画像認識の技術もまた公知の関連技術であるため、その詳細な説明は省略する。
【００５８】
また、第１実施形態では省電力化対象機器の一例として、テレビジョンを挙げたが、これに限定されるものではなく、リモコン装置を利用したものであれば他の装置にも本発明の適用が可能である。
【００５９】
以上説明したように、本発明の第１実施形態によれば、以下に記載の効果を奏する。
【００６０】
第１の効果は、客がいない場合に省電力化対象装置の電源をオフさせるので、余計な電力を抑えることができることである。
【００６１】
第２の効果は、店員と客とを判別しているので、店員の移動等による省電力化対象装置の不要な電源の投下を抑制できることである。
【００６２】
第３の効果は、省電力化対象装置とは異なる場所に設置した装置で省電力化対象装置の電源制御を実行するため、自動的に電源をオフする機能を持たない省電力化対象装置であっても赤外線リモコンに対応していれば制御対象とすることができることである。
【００６３】
第４の効果は、周辺の客の判別を自動的に行っているので、省電力化対象装置の周辺に店員がいるか否かに関わらず省電力化を自動で実行できることである。また、人為的なミスである消し忘れおよび点け忘れも防止することができることである。
【００６４】
第５の効果は、服装で店員であるか客であるかの判別が可能であるため、アルバイト店員等短期間のみ働く店員の顔を登録および削除する必要がなくなり、設定が容易であることである。
【００６５】
第６の効果は、省電力化対象装置をリモコン装置で電源制御する構成であるため、複数の省電力化対象装置を制御することができることである。
【００６６】
次に、本発明の第２実施形態について説明する。第２実施形態はその基本的構成は第１実施形態と同様であるが、省電力化対象装置の電源制御方法についてさらに工夫している。図９は本発明に係る省電力化装置の第２実施形態の構成図である。なお、第１実施形態の構成（図６参照）と同様部分には同一番号を付し、その説明を省略する。図９を参照すると、第２実施形態における省電力化装置２ではリモコン装置５２（図６参照）の代わりに直接操作装置６１と、電源コンセント６２とを設けている。
【００６７】
すなわち、省電力化対象装置１０１，１０２と電源コンセント６２との間に直接操作装置６１を接続し、電源コンセント６２に電源を供給する。さらに、制御装置５１と直接操作装置６１を接続する。そして、制御装置５１からの電源オンまたはオフの制御コマンドが直接操作装置６１に送信されると、直接操作装置６１はその制御コマンドが電源オンである場合は、電源コンセント６２からの電源を省電力化対象装置１０１，１０２へ供給し、その制御コマンドが電源オフである場合は、電源コンセント６２から省電力化対象装置１０１，１０２への電源の供給を遮断する。
【００６８】
なお、第２実施形態ではリモコン装置５２（図６参照）を直接操作装置６１と、電源コンセント６２とに置換しただけなので、上記以外の動作は第１実施形態と同様である。
【００６９】
以上説明したように、本発明の第２実施形態によれば、省電力化対象装置１０１，１０２の電源を直接操作装置６１により直接オンまたはオフする構成であるため、リモコン装置を有さない省電力化装置に対しても省電力化が可能となる。
【００７０】
また、第１および第２実施形態において、店員の制服のみを識別対象とした場合、同系色の服を着た人物または同系色のパッケージを持った物体を店員と誤認識する可能性がある。そこで、カメラ１０ならびに画像認識部１１に高度な性能を具備し、顔認識を可能とすることで、誤認識となる確率を下げることが可能となる。短期間の店員等、顔が未登録である場合において、ワッペン２６（図７参照）等の顔の代わりとなる店員の特徴を追加条件に加えることで、誤認識を防止することが可能となる。
【００７１】
また、本発明では、販売店での店員および客の識別を例に記述したが、その他の人物であっても特徴をもった人物であれば識別が可能である。そのため、人物の特徴を変更することで、展示品に限らず、天井灯等の照明の制御に本発明の適用が可能となる。
【００７２】
次に、本発明の第３実施形態について説明する。第３実施形態は省電力化方法のプログラムに関するものである。図５を参照すると、本発明の制御装置５１はプログラム格納部１６を含んでいる。このプログラム格納部１６には、図８にフローチャートで示す省電力化方法のプログラムが格納されている。
【００７３】
制御部（コンピュータ）１３はプログラム格納部１６からそのプログラムを読み出し、そのプログラムにしたがって画像認識部１１およびメモリ１２、ならびに操作部５２の送信部１４および受信部１５を制御する。その制御の内容は既に述べたので、ここでの説明は省略する。
【００７４】
以上説明したように本発明の第３実施形態によれば、客と店員の判別が可能で、かつ複数の省電力化対象装置の電源制御が可能な省電力化方法のプログラムが得られる。
【００７５】
次に、本発明の第４実施形態について説明する。第４実施形態は省電力を目的とするものではないが、人物を識別して対象物を制御する点で上述の第１および第２実施形態と共通する。第４実施形態では防犯装置に本発明を適用している。
【００７６】
関連技術においては、警備員がモニタで不審な人物の侵入の有無を監視しているが、人物の侵入を検出してから現場に駆けつけるまでに時間がかかるという欠点があった。本発明の第３実施形態では人物の侵入を検出した場合にアラームを雷鳴させることにより、この欠点の解消を図っている。
【００７７】
図１０は本発明の第４実施形態の構成図である。なお、同図において第１実施形態の構成（図５参照）と同様の構成部分については同一番号を付し、その説明を省略する。
【００７８】
図１０を参照すると、本発明に係る防犯装置３は制御装置７１と、映像表示装置７２とを含んで構成される。また、制御装置７１はカメラ１０と、画像認識部１１と、メモリ１１と、警報（以下、「アラーム」と表示する）８１と、制御部１３とを含んで構成される。また、映像表示装置７２はカメラ１０で撮影されている映像を表示する。すなわち、映像表示装置７２は警備室等に配置されるモニタ等を想定している。
【００７９】
次に、第４実施形態の動作について説明する。メモリ１１に警備員の制服の画像が記憶されているものとする。カメラ１０を介して画像認識部１１で識別された人物の服装と、メモリ１内に記憶された警備員の制服の特徴部分が一致する場合、制御部１３はカメラ１０を介して画像認識部１１で識別された人物は警備員と判断する。この場合、制御部１３はアラーム８１を駆動しない。
【００８０】
一方、カメラ１０を介して画像認識部１１で識別された人物の服装と、メモリ１内に記憶された警備員の制服の特徴部分が一致しない場合、制御部１３はカメラ１０を介して画像認識部１１で識別された人物は警備員以外と判断する。そして、この場合、制御部１３は警報としてアラーム８１を駆動する。
【００８１】
以上説明したように本発明の第４実施形態によれば、警備員以外の人物が検出されると、即座にアラーム８１を駆動する構成であるため、その人物に対し即座に警告することが可能となる。
【符号の説明】
【００８２】
１，２  省電力化装置
３  防犯装置
１０  カメラ
１１  画像認識部
１２  メモリ
１３  制御部
１４  送信部
１５  受信部
１６  プログラム格納部
２１  店員の顔
２２  服装
２６  ワッペン
５１  制御装置
５２  操作部
６１  直接操作装置
６２  電源コンセント
７１  制御装置
７２  映像表示装置
８１  警報
１０１  省電力化対象機器
１０２  省電力化対象機器
【図１】
2011030116.tif 000003
【図２】
2011030116.tif 000004
【図３】
2011030116.tif 000005
【図４】
2011030116.tif 000006
【図５】
2011030116.tif 000007
【図６】
2011030116.tif 000008
【図７】
2011030116.tif 000009
【図８】
2011030116.tif 000010
【図９】
2011030116.tif 000011
【図１０】
2011030116.tif 000012